(57)【要約】【課題】画像を部分的に表示する場合に画像全体のうち表示している範囲を容易に認識させることを可能とする。【解決手段】画像全体のうち(A)にハッチングで示す拡大表示範囲に相当する拡大画像データを画像データから抽出してディスプレイに表示する場合、(B)に示すように、拡大画像データが表す部分画像をディスプレイ26の表示面の全面に表示すると共に、元の画像データが表す画像に拡大表示範囲を表す枠84が合成されるように元の画像データを加工し、ディスプレイ26の表示面の右上隅にナビゲーション画像82として表示させる。【選択図】図４
2006304376.tif 000002
【特許請求の範囲】
【請求項１】
光学像を画像情報に変換する撮像手段と、
画像を表示するための表示手段と、
画像を一時的に記憶しておくための一時記憶手段と、
画像を拡大表示するための電子変倍処理を行う電子変倍処理手段と、
前記電子変倍処理手段による電子変倍処理によって画像を拡大表示する際の表示倍率を指定するための表示倍率指定手段と、
前記電子変倍処理手段による電子変倍処理によって画像を拡大表示する際の拡大表示範囲の位置を指定するための表示位置指定手段と、
前記撮像手段から出力された画像情報を記憶するための情報記憶媒体に記憶されている画像情報が表す画像の拡大表示を行うか否か判定し、前記画像の拡大表示を行わない場合には、前記情報記憶媒体から読み出されて前記一時記憶手段に一時記憶された画像情報を前記表示手段の画素数に応じて変換して前記表示手段に画像として表示させ、前記電子変倍処理手段による電子変倍処理によって画像の拡大表示を行う場合には、前記表示手段の表示状態を、前記情報記憶媒体から読み出されて前記一時記憶手段に一時記憶された画像情報が表す画像のうち、前記表示倍率指定手段を介して指定された表示倍率及び前記表示位置指定手段を介して指定された拡大表示範囲の位置に応じて定まる拡大表示範囲内の部分画像を前記電子変倍処理手段による電子変倍処理によって主画像として前記表示手段の全面に拡大表示させる第１状態、前記一時記憶手段に一時記憶された画像情報が表す画像全体を表示範囲とし、前記主画像として表示している拡大表示範囲を明示した副画像を前記表示手段の全面に表示させる第２状態、及び、前記主画像を前記表示手段の全面に拡大表示させると共に、前記副画像を前記主画像よりも小さい表示倍率で前記主画像に重畳して表示させる第３状態、の各状態に順次切り替えることで、前記主画像及び前記副画像を単一の表示手段に各々表示させ、前記表示倍率指定手段を介して表示倍率の変更が指示されるか、又は前記表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて前記主画像として拡大表示させる前記部分画像を切り替えると共に、前記副画像に明示している拡大表示範囲のサイズ又は位置を変更する表示制御手段と、
を含む画像撮影装置。
【請求項２】
光学像を画像情報に変換する撮像手段と、
画像を表示するための表示手段と、
画像を一時的に記憶しておくための一時記憶手段と、
画像を拡大表示するための電子変倍処理を行う電子変倍処理手段と、
前記電子変倍処理手段による電子変倍処理によって画像を拡大表示する際の表示倍率を指定するための表示倍率指定手段と、
前記電子変倍処理手段による電子変倍処理によって画像を拡大表示する際の拡大表示範囲の位置を指定するための表示位置指定手段と、
前記撮像手段から出力された画像情報を記憶するための情報記憶媒体に記憶されている画像情報が表す画像の拡大表示を行うか否か判定し、前記画像の拡大表示を行わない場合には、前記情報記憶媒体から読み出されて前記一時記憶手段に一時記憶された画像情報を前記表示手段の画素数に応じて変換して前記表示手段に画像として表示させ、前記電子変倍処理手段による電子変倍処理によって画像の拡大表示を行う場合には、前記表示手段の表示状態を、前記情報記憶媒体から読み出されて前記一時記憶手段に一時記憶された画像情報が表す画像のうち、前記表示倍率指定手段を介して指定された表示倍率及び前記表示位置指定手段を介して指定された拡大表示範囲の位置に応じて定まる拡大表示範囲内の部分画像を前記電子変倍処理手段による電子変倍処理によって主画像として前記表示手段の全面に拡大表示させる第１状態、及び、前記主画像を前記表示手段の全面に拡大表示させると共に、前記一時記憶手段に一時記憶された画像情報が表す画像全体を表示範囲とし、前記主画像として表示している拡大表示範囲を明示した副画像を前記主画像よりも小さい表示倍率で前記主画像に重畳して表示させる第３状態、の各状態に順次切り替えることで、前記主画像及び前記副画像を単一の表示手段に各々表示させ、前記表示倍率指定手段を介して表示倍率の変更が指示されるか、又は前記表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて前記主画像として拡大表示させる前記部分画像を切り替えると共に、前記副画像に明示している拡大表示範囲のサイズ又は位置を変更する表示制御手段と、
を含む画像撮影装置。
【請求項３】
光学像を画像情報に変換する撮像手段と、
画像を表示するための表示手段と、
画像を一時的に記憶しておくための一時記憶手段と、
画像を拡大表示するための電子変倍処理を行う電子変倍処理手段と、
前記電子変倍処理手段による電子変倍処理によって画像を拡大表示する際の表示倍率を指定するための表示倍率指定手段と、
前記電子変倍処理手段による電子変倍処理によって画像を拡大表示する際の拡大表示範囲の位置を指定するための表示位置指定手段と、
前記撮像手段から出力された画像情報を記憶するための情報記憶媒体に記憶されている画像情報が表す画像の拡大表示を行うか否か判定し、前記画像の拡大表示を行わない場合には、前記情報記憶媒体から読み出されて前記一時記憶手段に一時記憶された画像情報を前記表示手段の画素数に応じて変換して前記表示手段に画像として表示させ、前記電子変倍処理手段による電子変倍処理によって画像の拡大表示を行う場合には、前記表示手段の表示状態を、前記情報記憶媒体から読み出されて前記一時記憶手段に一時記憶された画像情報が表す画像全体を表示範囲とし、前記主画像として表示している拡大表示範囲を明示した副画像を前記表示手段の全面に表示させる第２状態、及び、前記一時記憶手段に一時記憶された画像情報が表す画像のうち、前記表示倍率指定手段を介して指定された表示倍率及び前記表示位置指定手段を介して指定された拡大表示範囲の位置に応じて定まる拡大表示範囲内の部分画像を前記電子変倍処理手段による電子変倍処理によって主画像として前記表示手段の全面に拡大表示させると共に、前記副画像を前記主画像よりも小さい表示倍率で前記主画像に重畳して表示させる第３状態、の各状態に順次切り替えることで、前記主画像及び前記副画像を単一の表示手段に各々表示させ、前記表示倍率指定手段を介して表示倍率の変更が指示されるか、又は前記表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて前記主画像として拡大表示させる前記部分画像を切り替えると共に、前記副画像に明示している拡大表示範囲のサイズ又は位置を変更する表示制御手段と、
を含む画像撮影装置。
【請求項４】
前記表示制御手段は、前記主画像として表示している範囲を表す可視情報を、前記表示手段としての透過型ドットマトリクスディスプレイに表示させることを特徴とする請求項１乃至請求項３の何れか１項記載の画像撮影装置。
【発明の詳細な説明】
【技術分野】
【０００１】
本発明は画像撮影装置に係り、特に、画像を表示するための表示手段を備えた画像撮影装置に関する。
【背景技術】
【０００２】
一般にデジタルスチルカメラやデジタルビデオカメラ等の画像撮影装置には、画像撮影時や画像再生時に撮影画像や再生画像を確認可能とするために、ＬＣＤ等から成る表示デバイスが設けられている。また、各種の画像撮影装置の中には、表示デバイスに表示する撮影画像や再生画像をユーザからの指示に応じて拡大表示可能な機能を備えたものがある。この機能は、例えば画像撮影時のフォーカスや露出を確認する等の場合に有効である。
【０００３】
また、上記技術に関連して特許文献１には、記憶されている画像データの再生に際し、拡大縮小・回転等の画像処理を容易に行えるようにした画像信号処理機構が開示されている。
【特許文献１】特開平６−１５３０７１号公報
【発明の開示】
【発明が解決しようとする課題】
【０００４】
ところで、画像撮影装置において、撮影画像の解像度（撮影によって得られる画像データの画素数）は撮影画像の画質に関係する重要な要素であり、年々高解像度化がなされているが、これに伴い、表示デバイスに表示される撮影画像や再生画像が拡大表示されている状態で、元の画像のうちのどの部分が拡大表示されているのかが分りにくい、という問題がある。特に、元の画像が、同じような物体が連続して並んでいるシーンを撮影することで得られた画像である等の場合には、どの部分が拡大表示されているのかを判断することは困難であった。
【０００５】
また、上記の問題は画像撮影装置に限られるものではなく、表示デバイスに画像を表示する機能を備えると共に、表示画像を拡大して表示する機能を備えた装置（例えば単に画像を再生する機能を備えた装置）において、例えば表示デバイスの表示面の面積が小さく、拡大表示したときの表示範囲が限られる等の場合にも、どの部分が拡大表示されているのかを判断することは困難であった。
【０００６】
本発明は上記事実を考慮して成されたもので、画像を部分的に表示する場合に画像全体のうち表示している範囲を容易に認識させることが可能な画像撮影装置を得ることが目的である。
【課題を解決するための手段】
【０００７】
上記目的を達成するために請求項１記載の発明に係る画像撮影装置は、光学像を画像情報に変換する撮像手段と、画像を表示するための表示手段と、画像を一時的に記憶しておくための一時記憶手段と、画像を拡大表示するための電子変倍処理を行う電子変倍処理手段と、前記電子変倍処理手段による電子変倍処理によって画像を拡大表示する際の表示倍率を指定するための表示倍率指定手段と、前記電子変倍処理手段による電子変倍処理によって画像を拡大表示する際の拡大表示範囲の位置を指定するための表示位置指定手段と、前記撮像手段から出力された画像情報を記憶するための情報記憶媒体に記憶されている画像情報が表す画像の拡大表示を行うか否か判定し、前記画像の拡大表示を行わない場合には、前記情報記憶媒体から読み出されて前記一時記憶手段に一時記憶された画像情報を前記表示手段の画素数に応じて変換して前記表示手段に画像として表示させ、前記電子変倍処理手段による電子変倍処理によって画像の拡大表示を行う場合には、前記表示手段の表示状態を、前記情報記憶媒体から読み出されて前記一時記憶手段に一時記憶された画像情報が表す画像のうち、前記表示倍率指定手段を介して指定された表示倍率及び前記表示位置指定手段を介して指定された拡大表示範囲の位置に応じて定まる拡大表示範囲内の部分画像を前記電子変倍処理手段による電子変倍処理によって主画像として前記表示手段の全面に拡大表示させる第１状態、前記一時記憶手段に一時記憶された画像情報が表す画像全体を表示範囲とし、前記主画像として表示している拡大表示範囲を明示した副画像を前記表示手段の全面に表示させる第２状態、及び、前記主画像を前記表示手段の全面に拡大表示させると共に、前記副画像を前記主画像よりも小さい表示倍率で前記主画像に重畳して表示させる第３状態、の各状態に順次切り替えることで、前記主画像及び前記副画像を単一の表示手段に各々表示させ、前記表示倍率指定手段を介して表示倍率の変更が指示されるか、又は前記表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて前記主画像として拡大表示させる前記部分画像を切り替えると共に、前記副画像に明示している拡大表示範囲のサイズ又は位置を変更する表示制御手段と、を含んで構成されている。
【０００８】
請求項１の発明は、光学像を画像情報に変換する撮像手段、画像を表示するための表示手段、画像を一時的に記憶しておくための一時記憶手段、画像を拡大表示するための電子変倍処理を行う電子変倍処理手段、電子変倍処理手段による電子変倍処理によって画像を拡大表示する際の表示倍率を指定するための表示倍率指定手段、及び、電子変倍処理手段による電子変倍処理によって画像を拡大表示する際の拡大表示範囲の位置を指定するための表示位置指定手段を備えている。なお、記憶手段は例えばＲＡＭ等のメモリで構成することができる。また表示手段は、請求項３に記載した透過型ドットマトリクスディスプレイ、或いは反射型ドットマトリクスディスプレイやその他のディスプレイであってもよく、具体的にはＬＣＤやＣＲＴディスプレイ、プラズマディスプレイ等で構成することができる。
【０００９】
また、請求項１の発明に係る表示制御手段は、撮像手段から出力された画像情報を記憶するための情報記憶媒体に記憶されている画像情報が表す画像の拡大表示を行うか否か判定し、画像の拡大表示を行わない場合には、情報記憶媒体から読み出されて一時記憶手段に一時記憶された画像情報を表示手段の画素数に応じて変換して表示手段に画像として表示させ、電子変倍処理手段による電子変倍処理によって画像を拡大表示を行う場合には、
表示手段の表示状態を、情報記憶媒体から読み出されて一時記憶手段に一時記憶された画像情報が表す画像のうち、表示倍率指定手段を介して指定された表示倍率及び表示位置指定手段を介して指定された拡大表示範囲の位置に応じて定まる拡大表示範囲内の部分画像を電子変倍処理手段による電子変倍処理によって主画像として表示手段の全面に拡大表示させる第１状態、一時記憶手段に一時記憶された画像情報が表す画像全体を表示範囲とし、主画像として表示している拡大表示範囲を明示した副画像を表示手段の全面に表示させる第２状態、及び、主画像を表示手段の全面に拡大表示させると共に、副画像を主画像よりも小さい表示倍率で主画像に重畳して表示させる第３状態、の各状態に順次切り替えることで、主画像及び副画像を単一の表示手段に各々表示させ、表示倍率指定手段を介して表示倍率の変更が指示されるか、又は表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて主画像として拡大表示させる部分画像を切り替えると共に、副画像に明示している拡大表示範囲のサイズ又は位置を変更する。これにより、画像の拡大表示を行う場合にも、利用者は、表示倍率指定手段を介して表示倍率を指定すると共に、表示位置指定手段を介して拡大表示範囲の位置を指定することで、画像情報が表す画像のうちの任意の箇所を任意の任意の表示倍率で主画像として拡大表示させることができると共に、副画像を参照することで、画像全体のうち主画像として拡大表示されている範囲（詳しくは拡大表示範囲の位置・形状・大きさ）を視覚的に容易に認識できる。
【００１０】
なお、請求項１の発明において、主画像として表示している範囲を副画像上で明示することは、例えば主画像として表示している範囲とそれ以外の範囲の境界を表す図形を重ねた画像を副画像として表示したり、主画像として表示している範囲とそれ以外の範囲とで彩度・明度・色相の少なくとも１つを相違させた画像を副画像として表示することで実現できる。
【００１１】
また、請求項１の発明において、表示制御手段は、表示手段の表示状態を、主画像を表示手段の全面に拡大表示させる第１状態、副画像を表示手段の全面に表示させる第２状態、及び、主画像を表示手段の全面に拡大表示させると共に、副画像を前記主画像よりも小さい表示倍率で主画像に重畳して表示させる第３状態、の各状態に順次切り替えることで、主画像及び副画像を単一の表示手段に各々表示させるので、副画像を表示するために新たに表示手段を追加する必要がなくなり、コストを低減することができる。また、表示手段の表示状態が第３状態となっているときに主画像のうち副画像が重畳されていることで表示されていない部分を、表示手段の表示状態を第１状態へ切り替えることで確認したり、或いは、表示手段の表示状態を第２状態へ切り替えることで、主画像として表示している拡大表示範囲の位置や大きさを詳細に確認することも可能となる。
【００１２】
また、請求項１の発明に係る表示制御手段は、表示倍率指定手段を介して表示倍率の変更が指示されるか、又は表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて主画像として拡大表示させる部分画像を切り替えると共に、副画像に明示している拡大表示範囲のサイズ又は位置を変更する。これにより、利用者は、拡大画像（主画像）が一旦表示された後に、画像中の拡大表示範囲の位置や表示倍率を変更することができると共に、副画像を参照することで、拡大表示範囲の位置や表示倍率を変更した後の、画像全体における拡大表示範囲の位置及びサイズも容易に認識することができる。
【００１３】
従って、請求項１の発明によれば、画像中の任意の箇所を任意の倍率で拡大表示させることができると共に、拡大画像を一旦表示した後も画像中の拡大表示範囲の位置や表示倍率を自由に変更することができ、画像全体における拡大表示範囲の位置及びサイズを容易に認識させることができる。また請求項１の発明では、副画像を主画像よりも小さい表示倍率で主画像に重畳することで、主画像及び副画像を単一の表示手段に各々表示させるので、表示された副画像が利用者に目視されることで、主画像として表示されている範囲のみならず、画像情報が表す画像全体がどのような画像かを容易に認識させることができる。これにより、主画像として表示する範囲の大きさや位置が利用者によって変更される場合に、主画像として表示すべき範囲を利用者が容易に判断することができる。また、主画像及び副画像を単一の表示手段に各々表示させることで、副画像を表示するために新たに表示手段を追加する必要がないので、コストを低減することができる。
【００１４】
請求項２記載の発明に係る画像撮影装置は、光学像を画像情報に変換する撮像手段と、画像を表示するための表示手段と、画像を一時的に記憶しておくための一時記憶手段と、画像を拡大表示するための電子変倍処理を行う電子変倍処理手段と、前記電子変倍処理手段による電子変倍処理によって画像を拡大表示する際の表示倍率を指定するための表示倍率指定手段と、前記電子変倍処理手段による電子変倍処理によって画像を拡大表示する際の拡大表示範囲の位置を指定するための表示位置指定手段と、前記撮像手段から出力された画像情報を記憶するための情報記憶媒体に記憶されている画像情報が表す画像の拡大表示を行うか否か判定し、前記画像の拡大表示を行わない場合には、前記情報記憶媒体から読み出されて前記一時記憶手段に一時記憶された画像情報を前記表示手段の画素数に応じて変換して前記表示手段に画像として表示させ、前記電子変倍処理手段による電子変倍処理によって画像の拡大表示を行う場合には、前記表示手段の表示状態を、前記情報記憶媒体から読み出されて前記一時記憶手段に一時記憶された画像情報が表す画像のうち、前記表示倍率指定手段を介して指定された表示倍率及び前記表示位置指定手段を介して指定された拡大表示範囲の位置に応じて定まる拡大表示範囲内の部分画像を前記電子変倍処理手段による電子変倍処理によって主画像として前記表示手段の全面に拡大表示させる第１状態、及び、前記主画像を前記表示手段の全面に拡大表示させると共に、前記一時記憶手段に一時記憶された画像情報が表す画像全体を表示範囲とし、前記主画像として表示している拡大表示範囲を明示した副画像を前記主画像よりも小さい表示倍率で前記主画像に重畳して表示させる第３状態、の各状態に順次切り替えることで、前記主画像及び前記副画像を単一の表示手段に各々表示させ、前記表示倍率指定手段を介して表示倍率の変更が指示されるか、又は前記表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて前記主画像として拡大表示させる前記部分画像を切り替えると共に、前記副画像に明示している拡大表示範囲のサイズ又は位置を変更する表示制御手段と、を含んで構成されている。
【００１５】
請求項２の発明は、請求項１の発明と同様の撮像手段、表示手段、一時記憶手段、電子変倍処理手段、表示倍率指定手段、及び、表示位置指定手段を備えている。また、請求項２の発明に係る表示制御手段は、撮像手段から出力された画像情報を記憶するための情報記憶媒体に記憶されている画像情報が表す画像の拡大表示を行うか否か判定し、画像の拡大表示を行わない場合には、情報記憶媒体から読み出されて一時記憶手段に一時記憶された画像情報を表示手段の画素数に応じて変換して表示手段に画像として表示させ、電子変倍処理手段による電子変倍処理によって画像の拡大表示を行う場合には、表示手段の表示状態を、情報記憶媒体から読み出されて一時記憶手段に一時記憶された画像情報が表す画像のうち、表示倍率指定手段を介して指定された表示倍率及び表示位置指定手段を介して指定された拡大表示範囲の位置に応じて定まる拡大表示範囲内の部分画像を電子変倍処理手段による電子変倍処理によって主画像として表示手段の全面に拡大表示させる第１状態、及び、主画像を表示手段の全面に拡大表示させると共に、一時記憶手段に一時記憶された画像情報が表す画像全体を表示範囲とし、主画像として表示している拡大表示範囲を明示した副画像を主画像よりも小さい表示倍率で主画像に重畳して表示させる第３状態、の各状態に順次切り替えることで、主画像及び副画像を単一の表示手段に各々表示させ、表示倍率指定手段を介して表示倍率の変更が指示されるか、又は表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて主画像として拡大表示させる部分画像を切り替えると共に、副画像に明示している拡大表示範囲のサイズ又は位置を変更する。
【００１６】
従って、請求項２の発明においても、請求項１の発明と同様に、利用者は、拡大画像（主画像）が一旦表示された後に、画像中の拡大表示範囲の位置や表示倍率を変更することができると共に、副画像を参照することで、拡大表示範囲の位置や表示倍率を変更した後の、画像全体における拡大表示範囲の位置及びサイズも容易に認識することができるので、画像中の任意の箇所を任意の倍率で拡大表示させることができると共に、拡大画像を一旦表示した後も画像中の拡大表示範囲の位置や表示倍率を自由に変更することができ、画像全体における拡大表示範囲の位置及びサイズを容易に認識させることができる。
【００１７】
また、請求項２の発明において、表示制御手段は、表示手段の表示状態を、主画像を表示手段の全面に拡大表示させる第１状態、及び、主画像を表示手段の全面に拡大表示させると共に、副画像を前記主画像よりも小さい表示倍率で主画像に重畳して表示させる第３状態、の各状態に順次切り替えることで、主画像及び副画像を単一の表示手段に各々表示させるので、副画像を表示するために新たに表示手段を追加する必要がなくなり、コストを低減することができる。
【００１８】
請求項３記載の発明に係る画像撮影装置は、光学像を画像情報に変換する撮像手段と、画像を表示するための表示手段と、画像を一時的に記憶しておくための一時記憶手段と、画像を拡大表示するための電子変倍処理を行う電子変倍処理手段と、前記電子変倍処理手段による電子変倍処理によって画像を拡大表示する際の表示倍率を指定するための表示倍率指定手段と、前記電子変倍処理手段による電子変倍処理によって画像を拡大表示する際の拡大表示範囲の位置を指定するための表示位置指定手段と、前記撮像手段から出力された画像情報を記憶するための情報記憶媒体に記憶されている画像情報が表す画像の拡大表示を行うか否か判定し、前記画像の拡大表示を行わない場合には、前記情報記憶媒体から読み出されて前記一時記憶手段に一時記憶された画像情報を前記表示手段の画素数に応じて変換して前記表示手段に画像として表示させ、前記電子変倍処理手段による電子変倍処理によって画像の拡大表示を行う場合には、前記表示手段の表示状態を、前記情報記憶媒体から読み出されて前記一時記憶手段に一時記憶された画像情報が表す画像全体を表示範囲とし、前記主画像として表示している拡大表示範囲を明示した副画像を前記表示手段の全面に表示させる第２状態、及び、前記一時記憶手段に一時記憶された画像情報が表す画像のうち、前記表示倍率指定手段を介して指定された表示倍率及び前記表示位置指定手段を介して指定された拡大表示範囲の位置に応じて定まる拡大表示範囲内の部分画像を前記電子変倍処理手段による電子変倍処理によって主画像として前記表示手段の全面に拡大表示させると共に、前記副画像を前記主画像よりも小さい表示倍率で前記主画像に重畳して表示させる第３状態、の各状態に順次切り替えることで、前記主画像及び前記副画像を単一の表示手段に各々表示させ、前記表示倍率指定手段を介して表示倍率の変更が指示されるか、又は前記表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて前記主画像として拡大表示させる前記部分画像を切り替えると共に、前記副画像に明示している拡大表示範囲のサイズ又は位置を変更する表示制御手段と、を含んで構成されている。
【００１９】
請求項３の発明は、請求項１，２の発明と同様の撮像手段、表示手段、一時記憶手段、電子変倍処理手段、表示倍率指定手段、及び、表示位置指定手段を備えている。また、請求項３の発明に係る表示制御手段は、撮像手段から出力された画像情報を記憶するための情報記憶媒体に記憶されている画像情報が表す画像の拡大表示を行うか否か判定し、画像の拡大表示を行わない場合には、情報記憶媒体から読み出されて一時記憶手段に一時記憶された画像情報を表示手段の画素数に応じて変換して表示手段に画像として表示させ、電子変倍処理手段による電子変倍処理によって画像の拡大表示を行う場合には、表示手段の表示状態を、情報記憶媒体から読み出されて一時記憶手段に一時記憶された画像情報が表す画像全体を表示範囲とし、主画像として表示している拡大表示範囲を明示した副画像を表示手段の全面に表示させる第２状態、及び、一時記憶手段に一時記憶された画像情報が表す画像のうち、表示倍率指定手段を介して指定された表示倍率及び表示位置指定手段を介して指定された拡大表示範囲の位置に応じて定まる拡大表示範囲内の部分画像を電子変倍処理手段による電子変倍処理によって主画像として表示手段の全面に拡大表示させると共に、副画像を主画像よりも小さい表示倍率で主画像に重畳して表示させる第３状態、の各状態に順次切り替えることで、主画像及び副画像を単一の表示手段に各々表示させ、表示倍率指定手段を介して表示倍率の変更が指示されるか、又は表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて主画像として拡大表示させる部分画像を切り替えると共に、副画像に明示している拡大表示範囲のサイズ又は位置を変更する。
【００２０】
従って、請求項３の発明においても、請求項１，２の発明と同様に、利用者は、拡大画像（主画像）が一旦表示された後に、画像中の拡大表示範囲の位置や表示倍率を変更することができると共に、副画像を参照することで、拡大表示範囲の位置や表示倍率を変更した後の、画像全体における拡大表示範囲の位置及びサイズも容易に認識することができるので、画像中の任意の箇所を任意の倍率で拡大表示させることができると共に、拡大画像を一旦表示した後も画像中の拡大表示範囲の位置や表示倍率を自由に変更することができ、画像全体における拡大表示範囲の位置及びサイズを容易に認識させることができる。
【００２１】
また、請求項３の発明において、表示制御手段は、表示手段の表示状態を、副画像を表示手段の全面に表示させる第２状態、及び、主画像を表示手段の全面に拡大表示させると共に、副画像を前記主画像よりも小さい表示倍率で主画像に重畳して表示させる第３状態、の各状態に順次切り替えることで、主画像及び副画像を単一の表示手段に各々表示させるので、副画像を表示するために新たに表示手段を追加する必要がなくなり、コストを低減することができる。
【発明の効果】
【００２２】
以上説明したように本発明は、撮像手段から出力された画像情報を記憶するための情報記憶媒体に記憶されている画像情報が表す画像の拡大表示を行うか否か判定し、画像の拡大表示を行わない場合には、情報記憶媒体から読み出されて一時記憶手段に一時記憶された画像情報を表示手段の画素数に応じて変換して表示手段に画像として表示させ、電子変倍処理手段による電子変倍処理によって画像の拡大表示を行う場合には、表示手段の表示状態を、情報記憶媒体から読み出されて一時記憶手段に一時記憶された画像情報が表す画像のうち、表示倍率指定手段を介して指定された表示倍率及び表示位置指定手段を介して指定された拡大表示範囲の位置に応じて定まる拡大表示範囲内の部分画像を電子変倍処理手段による電子変倍処理によって主画像として表示手段の全面に拡大表示させる第１状態、一時記憶手段に一時記憶された画像情報が表す画像全体を表示範囲とし、主画像として表示している拡大表示範囲を明示した副画像を表示手段の全面に表示させる第２状態、及び、主画像を表示手段の全面に拡大表示させると共に、副画像を主画像よりも小さい表示倍率で主画像に重畳して表示させる第３状態、の各状態に順次切り替えることで、主画像及び副画像を単一の表示手段に各々表示させ、表示倍率指定手段を介して表示倍率の変更が指示されるか、又は表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて主画像として拡大表示させる部分画像を切り替えると共に、副画像に明示している拡大表示範囲のサイズ又は位置を変更するので、画像を部分的に表示する場合に画像全体のうち表示している範囲を容易に認識させることが可能となる、という優れた効果を有する。
【００２３】
また本発明は、撮像手段から出力された画像情報を記憶するための情報記憶媒体に記憶されている画像情報が表す画像の拡大表示を行うか否か判定し、画像の拡大表示を行わない場合には、情報記憶媒体から読み出されて一時記憶手段に一時記憶された画像情報を表示手段の画素数に応じて変換して表示手段に画像として表示させ、電子変倍処理手段による電子変倍処理によって画像の拡大表示を行う場合には、表示手段の表示状態を、情報記憶媒体から読み出されて一時記憶手段に一時記憶された画像情報が表す画像のうち、表示倍率指定手段を介して指定された表示倍率及び表示位置指定手段を介して指定された拡大表示範囲の位置に応じて定まる拡大表示範囲内の部分画像を電子変倍処理手段による電子変倍処理によって主画像として表示手段の全面に拡大表示させる第１状態、及び、主画像を表示手段の全面に拡大表示させると共に、一時記憶手段に一時記憶された画像情報が表す画像全体を表示範囲とし、主画像として表示している拡大表示範囲を明示した副画像を主画像よりも小さい表示倍率で主画像に重畳して表示させる第３状態、の各状態に順次切り替えることで、主画像及び副画像を単一の表示手段に各々表示させ、表示倍率指定手段を介して表示倍率の変更が指示されるか、又は表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて主画像として拡大表示させる部分画像を切り替えると共に、副画像に明示している拡大表示範囲のサイズ又は位置を変更するので、画像を部分的に表示する場合に画像全体のうち表示している範囲を容易に認識させることが可能となる、という優れた効果を有する。
【００２４】
また本発明は、撮像手段から出力された画像情報を記憶するための情報記憶媒体に記憶されている画像情報が表す画像の拡大表示を行うか否か判定し、画像の拡大表示を行わない場合には、情報記憶媒体から読み出されて一時記憶手段に一時記憶された画像情報を表示手段の画素数に応じて変換して表示手段に画像として表示させ、電子変倍処理手段による電子変倍処理によって画像の拡大表示を行う場合には、表示手段の表示状態を、情報記憶媒体から読み出されて一時記憶手段に一時記憶された画像情報が表す画像全体を表示範囲とし、主画像として表示している拡大表示範囲を明示した副画像を表示手段の全面に表示させる第２状態、及び、一時記憶手段に一時記憶された画像情報が表す画像のうち、表示倍率指定手段を介して指定された表示倍率及び表示位置指定手段を介して指定された拡大表示範囲の位置に応じて定まる拡大表示範囲内の部分画像を電子変倍処理手段による電子変倍処理によって主画像として表示手段の全面に拡大表示させると共に、副画像を主画像よりも小さい表示倍率で主画像に重畳して表示させる第３状態、の各状態に順次切り替えることで、主画像及び副画像を単一の表示手段に各々表示させ、表示倍率指定手段を介して表示倍率の変更が指示されるか、又は表示位置指定手段を介して拡大表示範囲の位置の移動が指示される毎に、表示倍率の変更指示又は拡大表示範囲の位置移動指示に応じて拡大表示範囲を変更し、変更後の拡大表示範囲に応じて主画像として拡大表示させる部分画像を切り替えると共に、副画像に明示している拡大表示範囲のサイズ又は位置を変更するので、画像を部分的に表示する場合に画像全体のうち表示している範囲を容易に認識させることが可能となる、という優れた効果を有する。
【発明を実施するための最良の形態】
【００２５】
以下、図面を参照して本発明の実施形態の一例を詳細に説明する。
【００２６】
図１には、本実施形態に係るデジタルスチルカメラ１０が示されている。なお、このデジタルスチルカメラ１０は本発明に係る画像撮影装置に対応している。
【００２７】
図１に示すように、デジタルスチルカメラ１０の本体１２は略箱型で、正面から見て左側に、本体１２の把持を容易とするための突起（把持部）が形成された形状とされている。図１（Ａ）に示すように、本体１２の正面側中央にはレンズ１４が取付けられており、本体１２のレンズ１４上方には、ユーザが撮影範囲等を目視で確認するための光学ファインダ１６、低照度での撮影等の場合に補助光を発するためのストロボ１８が取付けられている。
【００２８】
また本体１２の上面には、正面から見て右側に電源スイッチ２０が、左側（把持部に対応する位置）にシャッターボタン２２が各々設けられており、本体１２の正面から見て右側の側面には、本発明に係る情報記憶媒体としてのメモリカード（図示省略）を装填可能なスロット２４が設けられている。
【００２９】
また図１（Ｂ）に示すように、本体１２の背面の下方側には、反射型表示デバイス又は透過型表示デバイス（例えばＬＣＤ）から成るカラーディスプレイ２６（モノクロのディスプレイでもよい）が取付けられており、ディスプレイ２６の上方側には、メニュースイッチ２８、実行／画面切替スイッチ３０、及び操作スイッチ３２が各々取付けられている。
【００３０】
図２にはデジタルスチルカメラ１０の電気系の構成が示されている。レンズ１４は、詳しくはオートフォーカス（ＡＦ）機構を備えたズームレンズ（焦点距離可変レンズ）であり、レンズ１４のＡＦ機構及びズーム機構は駆動回路３６によって駆動される。なおズームレンズに代えて、ＡＦ機構のみを備えた焦点距離固定レンズをレンズ１４として用いてもよい。
【００３１】
本体１２内部のレンズ１４の焦点位置に相当する位置には、エリアＣＣＤセンサ等で構成される撮像デバイス３８が配置されており、被写体を反射してレンズ１４に入射された光は撮像デバイス３８の受光面に結像される。撮像デバイス３８は、駆動回路３６が内蔵しているタイミング発生回路（図示省略）によって発生されたタイミング信号に同期したタイミングで駆動され、画像信号（受光面上にマトリクス状に配列された多数個の光電変換セルの各々における受光量を表す信号）を出力する。
【００３２】
レンズ１４と撮像デバイス３８との間にはシャッタ／絞り４０が配置されている。シャッタ及び絞りは駆動回路３６によって駆動される。シャッタは撮像デバイス３８から画像信号が出力されるときに、撮像デバイス３８の受光面に光が入射することでスミアが発生することを防止するためのものであり、撮像デバイス３８の構成によっては省略可能である。また絞りは、絞り量を連続的に変更可能な単一の絞りで構成してもよいし、絞り量が異なる複数の絞りを切替える構成であってもよい。駆動回路３６にはストロボ１８も接続されている。ストロボ１８は、低照度であることが検出された場合や、ユーザによって発光が指示された場合に、駆動回路３６によって発光される。
【００３３】
撮像デバイス３８の信号出力端には、アナログ信号処理部４２、Ａ／Ｄ変換器４４、デジタル信号処理部４６、メモリ４８が順に接続されている。アナログ信号処理部４２は、撮像デバイス３８から出力された画像信号を増幅すると共に、増幅した画像信号に対してホワイトバランス等の補正を行う。アナログ信号処理部４２から出力された画像信号は、Ａ／Ｄ変換器４４によってデジタルの画像データに変換されてデジタル信号処理部４６へ入力される。デジタル信号処理部４６では、入力された画像データに対して色補正・γ補正・Ｙ／Ｃ変換等の各種処理を行う。デジタル信号処理部４６から出力された画像データは、ＲＡＭ等で構成されたメモリ４８に一時記憶される。
【００３４】
なお、メモリ４８は本発明に係る一時記憶手段に対応しており、メモリ４８に記憶される画像データは本発明に係る画像情報に対応している。また、レンズ１４、撮像デバイス３８、アナログ信号処理部４２、Ａ／Ｄ変換器４４及びデジタル信号処理部４６は本発明に係る撮像手段に対応している。
【００３５】
駆動回路３６、アナログ信号処理部４２、Ａ／Ｄ変換器４４、デジタル信号処理部４６、メモリ４８及び圧縮伸張部５０（後述）はバス５２に接続されており、このバス５２には、ＣＰＵ５４が接続されていると共に、電源スイッチ２０・メニュースイッチ２８・実行／画面切替スイッチ３０・操作スイッチ３２等のスイッチ類（図２では「操作スイッチ」と表記）、シャッターボタン２２が操作されることでオンオフされるシャッタースイッチ５６が各々接続されている。なお図示は省略するが、ＣＰＵ５４はＲＯＭ、ＲＡＭ、入出力ポート等の周辺回路を含んで構成されている。
【００３６】
また、メモリ４８にはディスプレイ２６及び圧縮伸張部５０が各々接続されている。ディスプレイ２６に画像を表示する場合、ＣＰＵ５４は、メモリ４８に一時記憶されている画像データに対して後述する画像表示処理を行った後にディスプレイ２６へ転送する。これにより、メモリ４８に一時記憶されている画像データが表す画像がディスプレイ２６に表示される。
【００３７】
また、シャッターボタン２２が操作されてシャッタースイッチ５６がオンされた等により、スロット２４に装填されたメモリカードへの画像データの格納が指示された場合、ＣＰＵ５４はメモリ４８に一時記憶されている画像データを読み出して圧縮伸張部５０へ転送する。これにより、画像データは圧縮伸張部５０で圧縮された後にメモリカードに格納される。なお、撮影モード等によっては画像データが圧縮されることなくメモリカードに格納される場合もある。
【００３８】
また、スロット２４に装填されたメモリカードに格納されている画像データが表す画像の再生（表示）が指示された場合には、メモリカードから画像データが読み出され、読み出された画像データが圧縮されて格納されていた場合には、該被圧縮画像データが圧縮伸張部５０で伸張（解凍）された後にメモリ４８に一時記憶される。そして、メモリ４８に一時記憶された画像データを用いてディスプレイ２６への画像の表示（再生）が行われる。
【００３９】
次に本実施形態の作用として、画像撮影モードでディスプレイ２６に画像を表示することが指示された場合や、メモリカードに格納されている画像データが表す画像をディスプレイ２６に表示する画像再生モードが選択された場合にＣＰＵ５４で実行される画像表示処理について、図３のフローチャートを参照して説明する。なお、この画像表示処理は、撮像デバイス３８による撮像によって得られた画像データ、又はメモリカードから読み出された画像データがメモリ４８に記憶されている状態で行われる。
【００４０】
ステップ１００では、電子変倍処理による画像の拡大表示を行うか否か判定する。電子変倍による拡大表示を行なわない場合（メモリ４８に記憶されている画像データが表す画像全体をディスプレイ２６に表示させる場合）にはステップ１０２へ移行し、メモリ４８に記憶されている画像データの画素密度をディスプレイ２６の画素数に応じて変換する（画像データが表す画像の縦横の画素数がディスプレイ２６の縦横の画素数に一致するように変換する）。
【００４１】
次のステップ１０４では、メモリ４８に予め設けられた表示用画像データ記憶領域（ビットマップメモリ）に画素密度変換後の画像データを展開する。そしてステップ１２６へ移行し、表示用画像データ記憶領域に記憶されている画像データをディスプレイ２６に転送する。これにより、メモリ４８に記憶されている画像データが表す画像全体がディスプレイ２６の全面に表示される。ステップ１２８では画像の表示を終了するか否か判定し、判定が否定された場合にはステップ１００に戻ってステップ１００以降を繰り返す。
【００４２】
ところで、デジタルスチルカメラ１０の本体１２の背面に設けられている操作スイッチ３２は、略矩形状のボタンの上下左右各方向の端部に対応して各々スイッチが設けられており、ボタンの端部が押圧されることで対応するスイッチがオンする構成となっている。画像撮影モードでは操作スイッチ３２はズーム倍率の切替えを指示するために用いられ、ズーム倍率を増大させるときには上側スイッチがオンされ、ズーム倍率を減少させるときには下側スイッチがオンされる。
【００４３】
ＣＰＵ５４は操作スイッチ３２の上側／下側スイッチのオンオフに応じてレンズ１４の光学倍率（焦点距離）を変更すると共に、光学ファインダ１６の光学倍率も同様に切り替える。また、ディスプレイ２６に画像を表示している状態であれば、レンズ１４の光学倍率に応じた画像がディスプレイ２６に表示される。画像撮影モードでは、メモリ４８に記憶されている画像データは、撮像デバイス３８から周期的に出力される画像信号によって周期的に更新されるが、上記のようにレンズ１４の光学倍率の変更のみによってズーム倍率の切替えを行っている間はステップ１００の判定が肯定されることはなく、メモリ４８に記憶されている画像データが表す画像全体が常にディスプレイ２６の全面に表示される。
【００４４】
また、画像撮影モードにおいて、レンズ１４の光学倍率が最大の状態で、操作スイッチ３２を介してズーム倍率の増大が更に指示された場合には、ディスプレイ２６に画像を表示している状態であれば、電子変倍処理による画像の拡大表示を行う必要があると判断し、ステップ１００の判定が肯定される。なお、画像撮影モードにおける電子変倍処理では、拡大表示範囲の中心位置は元の画像の中心位置と常に一致される。
【００４５】
一方、画像再生モードでは、操作スイッチ３２は画像表示倍率の切替え及び画像表示範囲の移動を指示するために用いられる。すなわち、単に上側／下側スイッチがオンオフされた場合は画像表示倍率の変更が指示されたことを意味し、画像表示倍率を増大させるときには上側スイッチがオンされ、画像表示倍率を減少させるときには下側スイッチがオンされる。また、図示しないボタンが押圧されている状態で上側／下側／右側／左側の何れかのスイッチがオンオフされた場合は画像表示範囲の変更が指示されたことを意味し、前記ボタンが押圧されている状態で画像表示範囲を移動させたい方向に対応するスイッチがオンされる。
【００４６】
画像再生モードにおいて、画像表示倍率の初期値は、画像データが表す画像全体がディスプレイ２６の全面に表示される倍率（すなわち最小倍率）とされているが、操作スイッチ３２を介して画像表示倍率の切替え（すなわち画像の拡大表示）が指示された場合、及び操作スイッチ３２を介して拡大表示範囲の移動が指示された場合には、電子変倍処理による画像の拡大表示を行う必要があると判断し、ステップ１００の判定が肯定される。なお、画像再生モードにおける電子変倍処理では、拡大表示範囲の中心位置は拡大表示範囲の移動指示に応じて変更設定される。
【００４７】
上記のようにしてステップ１００の判定が肯定されるとステップ１１０へ移行し、操作スイッチ３２が操作されることで設定又は変更された拡大表示パラメータ（画像の拡大率及び拡大表示範囲の中心位置）を取り込む。ステップ１１２では取り込んだ拡大表示パラメータに基づいて、メモリ４８に記憶されている画像データが表す画像上で、拡大表示範囲の外縁に相当する位置を演算する。ステップ１１４では、ステップ１１２の演算結果に基づいて、メモリ４８に記憶されている画像データから拡大表示範囲内に相当するデータ（拡大画像データ）を抽出する。
【００４８】
例えば、メモリ４８に記憶されている画像データが表す画像の範囲（外縁）が図４（Ａ）に示す白抜きの矩形によって表される範囲であり、拡大表示範囲が図４（Ｂ）にハッチングで示す矩形によって表される範囲である場合、前記ハッチングで示す矩形によって表される範囲内のデータが拡大画像データとして抽出される。なお、上記のステップ１１２、１１４のように操作スイッチ３２の操作に応じて拡大表示範囲を判断し、拡大表示範囲内に相当する拡大画像データを抽出することは、本発明に係る表示制御手段に対応しており、操作スイッチ３２は本発明に係る表示倍率指定手段及び表示位置指定手段に対応している。
【００４９】
ステップ１１６では、抽出した拡大画像データの画素密度を拡大率及びディスプレイ２６の画素数に応じて変換する（抽出した拡大画像データが表す画像の縦横の画素数がディスプレイ２６の縦横の画素数に一致するように変換する）。そしてステップ１１８では、画素密度変換後の拡大画像データを表示用画像データ記憶領域に展開する。
【００５０】
次のステップ１２０では、メモリ４８に記憶されている元の画像データが表す画像に拡大表示範囲内と範囲外との境界（拡大表示範囲の外縁）を表す枠が合成されるように、前記画像データを変更する。ステップ１２２では枠を合成した画像データが表す画像のフレームサイズが所定のサイズ（例えば元の画像の数分の１程度）に縮小されるように、前記画像データの画素密度を所定の画素密度に変換する。そしてステップ１２４では、所定の画素密度に変換した画像データ（縮小画像データ）を、表示用画像データ記憶領域のうち、ディスプレイ２６の表示面の右上隅に相当する領域に展開する。
【００５１】
上記のようにして表示用画像データ記憶領域に展開された画像データが、次のステップ１２６でディスプレイ２６に転送されることにより、ディスプレイ２６には、例として図４（Ｂ）にも示すように、操作スイッチ３２の操作に応じた倍率で拡大された拡大画像８０（本発明の主画像に相当）が全面に表示されると共に、表示面の右上隅には、画像全体を表しかつ拡大画像８０として表示している範囲を明示する枠８４が付加された画像８２（以下、ナビゲーション画像８２と称する）が、拡大画像８０よりも小さい表示倍率で表示されることになる。
【００５２】
なお、ナビゲーション画像８２は本発明に係る副画像に対応している。また、図４（Ｂ）に示す表示状態は、本発明に係る第３状態に対応している。
【００５３】
ユーザは、ディスプレイ２６に表示されたナビゲーション画像８２を参照することで、画像全体がどのような画像かを容易に認識できると共に、拡大画像８０として表示されている範囲を視覚的に容易に認識することができ、画像撮影モードであれば、例えば撮影する範囲が適正か否かを容易に判断することができ、画像再生モードであれば、例えば拡大画像８０を参照することで画像の細部を確認或いは鑑賞するに際し、ナビゲーション画像８２を参照することで拡大画像８０として表示すべき範囲を容易に判断することができる。
【００５４】
また、上記のステップ１１０〜１２６は、ステップ１２８の判定が否定されかつステップ１００の判定が肯定されている間は繰り返し実行されるので、ユーザが操作スイッチ３２を再度操作することで、ズーム倍率の変更、又は画像表示倍率の切替え、又は拡大表示範囲の移動が指示された場合には、拡大表示範囲が変更されると共に、該拡大表示範囲の変更に伴って枠８４の大きさやナビゲーション画像８２上での位置が変更されることになる。
【００５５】
なお、上記の態様では、電子変倍処理による画像の拡大表示を行っている間、拡大画像８０を常に表示すると共に、拡大画像８０の右上隅に拡大画像８０に重ねてナビゲーション画像８２を常に表示する場合を説明したが、本発明ではこれに代えて、例えばメニュースイッチ２８や操作スイッチ３２が操作されることで表示モードの切替えが指示される毎に、例えば図５に示すように、拡大画像８０のみをディスプレイ２６に表示している状態、ナビゲーション画像８２のみをディスプレイ２６に表示している状態、拡大画像８０及びナビゲーション画像８２を各々表示している状態に順次切替えている。
【００５６】
これにより、拡大画像８０として表示される範囲のうち、ナビゲーション画像８２が重なっている部分を確認したり、ナビゲーション画像８２を参照して拡大表示範囲の位置や大きさを詳細に確認したりすることを容易に行うことができる。また、表示モードの切替えが指示される毎に、例えば図６に示すように、上記３種類の状態に、例えばストロボ発光の有無・露出補正の有無・ＡＥモード等のモードの切替えが可能なセットアップ画面６６を表示している状態を加えた４種類の状態に順次切替えるようにしてもよい。図５及び図６に示した各態様は本発明に係る表示制御手段に対応している。
【００５７】
なお、図４（Ｂ）等には、拡大表示領域内と拡大表示領域外との境界を、高濃度の線で構成した枠８４によって明示した例を示したが、これに限定されるものではなく、低濃度（例えば白色）の線で構成してもよいし低彩度の線で構成してもよい。また枠に代えて、例えば拡大表示領域内と拡大表示領域外とで画像の明度・彩度・色相の少なくとも１つを変更する（例えば拡大表示領域外を低明度とする、拡大表示領域外を低彩度とする、拡大表示領域外の色相を元の色の補色の色に変更する等）ようにしてもよい。また、上記では拡大表示範囲を一定アスペクト比の矩形状としていたが、これに限定されるものではなく、拡大表示範囲のアスペクト比を任意に定めたり、或いは拡大表示範囲の形状そのものを任意に変更可能としてもよい。
【００５８】
また、本発明に係る画像情報は、単一の画像を表す画像データに限定されるものではなく、複数の画像がマトリクス状に配列された状態（所謂インデックス画像）を表す画像データを本発明に係る画像情報として用いてもよい。
【００５９】
更に、上記では本発明に係る画像撮影装置としてデジタルスチルカメラを例に説明したが、これに限定されるものではなく、デジタルビデオカメラに上記発明を適用することも可能であることは言うまでもない。
【図面の簡単な説明】
【００６０】
【図１】本実施形態に係るデジタルスチルカメラの、（Ａ）は正面側から見た斜視図、（Ｂ）は背面側から見た斜視図である。
【図２】図１に示したデジタルスチルカメラの電気系の概略構成を示すブロック図である。
【図３】画像表示処理の内容を示すフローチャートである。
【図４】（Ａ）は画像の一部を拡大表示する場合の処理を説明するための概念図、（Ｂ）は単一のディスプレイに、拡大画像を表示すると共に該拡大画像に重ねてナビゲーション画像を表示した場合の一例を示すイメージ図である。
【図５】表示モード切替指示に応じて表示画像を切り替える場合の一例を示すイメージ図である。
【図６】表示モード切替指示に応じて表示画像を切り替える場合の他の例を示すイメージ図である。
【符号の説明】
【００６１】
１０  デジタルスチルカメラ
１６  光学ファインダ
２６  ディスプレイ
３２  操作スイッチ
３８  撮像デバイス
４８  メモリ
５４  ＣＰＵ
８０  拡大画像
８２  ナビゲーション画像
８４  枠
【図１】
2006304376.tif 000003
【図２】
2006304376.tif 000004
【図３】
2006304376.tif 000005
【図４】
2006304376.tif 000006
【図５】
2006304376.tif 000007
【図６】
2006304376.tif 000008